(57)【特許請求の範囲】
【請求項１】
フレーム本体と、
このフレーム本体に設けられ、原動機の動力を第１の変速手段を介して伝達する第１の回転軸と、
この第１の回転軸に第２の変速手段を介して連結された第２の回転軸と、
前記フレーム本体に回動可能に設けられた鋤と、
前記第２の回転軸に連結され、前記鋤の揺動幅を可変可能に揺動させる揺動手段と、
前記鋤の傾斜角度を設定する鋤角度設定手段と、
前記鋤の後部に回動可能に連結されたホークと、
前記第１の回転軸に連結され前記ホークの振動幅を可変可能に振動させる加振手段と、
前記ホークの傾斜角度を設定するホーク角度設定手段とを備え、
第１、第２の変速手段により前記鋤の揺動数、前記ホークの振動数を設定するとともに、前記鋤と前記ホークの傾斜角度、前記鋤の揺動幅、前記ホークの振幅を各々変えることにより、土を柔らかくするのみでネギを土中に残したままとすることを特徴とするネギ堀機。
【請求項２】
第２の変速手段は、減速機に連結された第１の回転軸に連結された第１のスプロケットと、
第２の回転軸に連結された第２のスプロケットと、
前記第１、第２のスプロケットを連結するチエーンとからなることを特徴とする請求項１記載のネギ堀機。
【請求項３】
揺動手段及び加振手段は各々偏心カップリングからなることを特徴とする請求項１または請求項２記載のネギ堀機。
【請求項４】
鋤角度設定手段は、鋤に設けられた鋤揺動アームと、
この鋤揺動アームの先端部と揺動手段に各々回動可能に連結され、長さを変える長さ可変部とからなることを特徴とする請求項１乃至請求項３のいずれかに記載のネギ堀機。
【請求項５】
ホーク角度設定手段は、ホークと加振手段に各々回動可能に連結され、長さを変える長さ可変部とからなることを特徴とする請求項１乃至請求項４のいずれかに記載のネギ堀機。
【請求項６】
鋤は、板状で略矩形状の進行方向前方長辺部に形成され、前方端部に刃部を有する前辺部と、
一方の短辺側に前記台形状部に対して鈍角に立ち上がり前方端部に刃部を有する側辺部と、
他方の短辺側より前記側辺部に対向して延設され、前方端部に刃部を有するフレーム本体との連結用アーム部と、
を備えたことを特徴とする請求項１乃至請求項５のいずれかに記載のネギ堀機。
【発明の詳細な説明】
【０００１】
【発明の属する技術分野】
この発明は、は畝に栽培されたネギ堀機に係り、特に、ネギを土中に残したままとするネギ堀機に関する。
【０００２】
【従来の技術】
図７は実開平３−６５４１８に示されたネギ抜取装置の断面図、図８は平面図である。図において１はトラクター６１に牽引されるフレーム本体、５１はフレーム本体１に設けられたアーム、５２アーム５１に取付けた刃板である。刃板５２の後方には長さの異なる複数本の案内杆５２ａが設けられている。
５３は刃板５２の後方に設けられた振動枠であり、トラクター６１のＰＴＯ軸で回転される動力伝達軸１０の回転が、ギヤボックス９、チェーン５４、クランク５５及び連杆５６を介して上下動に変換されて振動する。
５７は振動枠５３の揺動中心軸で、振動枠５３は中心軸５７を中心として揺動動運される。５８は刃板５２持ち上げたネギＮを振動枠５３上へと送るスライド板、５９は畝Ｅの根元の土を除く排土パネルである。
【０００３】
この構成において、トラクター６１に牽引されてフレーム１が前進すると、刃板５２畝Ｅに生えたネギＮの根部の下方ヘと進入し、ネギＮを土としともに持ち上け、刃板５２前進で持ち上けられたネギＮは後方の案内杆５２ａへと移動し、案内杆５２により一方向へと倒される。
倒れたネギＮはスライド板５８の上を滑って振動枠７上へと送られ、土をネギＮから振動で振るい落した後、畝Ｅの上に横倒しに置かれる。この後、ネギＮは人手により集められる。
【０００４】
また、他の従来の堀取機には、作物の栽培された畝の両側をカットし、作物を残したままとし、後で作物を取り出すものもある。
【０００５】
【発明が解決しようとする課題】
しかしながら、上記の従来のネギ抜取機では、抜取られたネギＮは、畝Ｅの上に横倒しに置かれるので、ネギＮが土で汚れてしまうため、洗浄をしなければならないという問題があった。
また、刃板５２固定されたままで揺動も行われなく、刃板５２が畝Ｅに生えたネギＮの根部の下方ヘと進入したときの抵抗が大きく、刃板５２振動枠５３の傾斜角度、振動枠５３の振動幅が可変でないため、ネギが栽培された土壌に応じて、刃板５２振動枠５３の傾斜角度、振動枠５３の振動幅を変えることができないという課題があった。
【０００６】
また、作物を畝にのこしたままとする堀取機は、作物の根に土が固着したままとなり、特に、ネギの場合は根が絡み合っているので、土の固着が除かれず、容易に抜き取ることができないという課題があった。
【０００７】
この発明は上記のような課題を解消するためになされたもので、簡単な構成と簡単な調整により、ネギが土で汚れないようにし、容易に抜き取りができるネギ堀機を得ることを目的とする。
【０００８】
【課題を解決するための手段】
この発明によるネギ堀機は、フレーム本体と、このフレーム本体に設けられ、原動機の動力を第１の変速手段を介して伝達する第１の回転軸と、この第１の回転軸に第２の変速手段を介して連結された第２の回転軸と、前記フレーム本体に回動可能に設けられた鋤と、前記第２の回転軸に連結され、前記鋤の揺動幅を可変可能に揺動させる揺動手段と、前記鋤の傾斜角度を設定する鋤角度設定手段と、
前記鋤の後部に回動可能に連結されたホークと、前記第１の回転軸に連結され前記ホークの振動幅を可変可能に振動させる加振手段と、前記ホークの傾斜角度を設定するホーク角度設定手段とを備え、第１、第２の変速手段により前記鋤の揺動数、前記ホークの振動数を設定するとともに、前記鋤と前記ホークの傾斜角度、前記鋤の揺動幅、前記ホークの振幅を各々変えることにより、土を柔らかくするのみでネギを土中に残したままとするものである。
【０００９】
また、第２の変速手段は、減速機に連結された第１の回転軸に連結された第１のスプロケットと、第２の回転軸に連結された第２のスプロケットと、前記第１、第２のスプロケットを連結するチエーンとからなるものである。
【００１０】
また、揺動手段及び加振手段は各々偏心カップリングからなるものである。
【００１１】
また、鋤角度設定手段は、鋤に設けられた鋤揺動アームと、この鋤揺動アームの先端部と揺動手段に各々回動可能に連結され、長さを変える長さ可変部とからなるものである。
【００１２】
また、ホーク角度設定手段は、ホークと加振手段に各々回動可能に連結され、長さを変える長さ可変部とからなるものである。
【００１３】
また、鋤は、板状で略矩形状の進行方向前方長辺部に形成され、前方端部に刃部を有する前辺部と、一方の短辺側に前記台形状部に対して鈍角に立ち上がり前方端部に刃部を有する側辺部と、他方の短辺側より前記側辺部に対向して延設され、前方端部に刃部を有するフレーム本体との連結用アーム部と、を備える。
【００１４】
【発明の実施の形態】
図１はこの発明の実施の形態を示すネギ堀機の斜視図、図２は分解斜視図、図３はネギ堀機の鋤の側面図、図４は正面図、図５はネギ堀機の偏心カップリングの分解斜視図、図６は動作説明図である。
【００１５】
図１〜５において１はフレーム本体、２は取付フレーム、３は取付部、４はブラケット、７は抵抗板、９は第１の変速手段である減速機、１０はトラクターのＰＴＯ軸や牽引車（図示せず）の原動機に連結された動力伝達軸、１１は減速機９に連結された第１の回転軸、１２は第２の変速手段であり、第１の回転軸１１に連結された第１のスプロケット１５と、第２の回転軸１３に連結された第２のスプロケット１６と、チエーンと１７から構成される。８は軸取付アーム、１４は軸取付アーム８に取付けられ、第１、第２の回転軸１１、１３を軸支する軸受である。
【００１６】
１８は第１の回転軸１１に固定された加振手段である偏心カップリングであり、偏心フランジ１８ａとシャフト付偏心フランジ１８ｂから構成される。
２０は第２の回転軸１３に固定された揺動手段である偏心カップリングであり、偏心フランジ２０ａとシャフト付偏心フランジ２０ｂから構成される。
偏心カップリング１８の詳細は図５に示すように、偏心フランジ１８ａとシャフト付偏心フランジ１８ｂは穴１９ａ、１９ｂの位置を変えてボルトにより固定して第１の回転軸１１とシャフト１８ｃの回転中心距離を変え偏心量を設定する。偏心カップリング２０も同様である。
【００１７】
３１は鋤であり、図３に示すように、板状で略矩形状の進行方向前方長辺部に形成され、前方端部に刃部を有する前辺部３１ｂと、一方の短辺側に前記台形状部に対して鈍角に立ち上がり前方端部に刃部を有する側辺部３１ｃと、他方の短辺側より前記側辺部３１ｃに対向して延設され、前方端部に刃部を有するフレーム本体との連結用アーム部３１ａと、補強リム３１ｆと、支持穴３１ｄから構成される。２９は支点ピン３０を有する鋤揺動アーム、、２７はアームシャフトであり、鋤３１の連結用アーム部３１ａと鋤揺動アーム２９及びアームシャフト２７はボルト等で一体に固定され、アームシャフト２７が軸取付アーム８の軸受２８に取付けられる。
【００１８】
３６は鋤角度設定手段であり、長さを変える長さ可変部であるアジャストスクリュー４０と、アジャストスクリュー４０の一端に軸受３９が取付けられた軸受取付板３８と、アジャストスクリュー４０に螺合する支点ボス３７から構成される。そして、鋤角度設定手段３６の軸受３９が揺動カップリング２０の軸付フランジ２０ｂに連結され、支点ボス３７が鋤揺動アーム２９の支点ピン３０に連結される。
【００１９】
４１は鋤３１の後方に連結されたホークであり、図２、３に示すように、鋤３１の穴３１ｄに支点ピン３５で鋤連結されたフォークベース３２とフォークベース３２に取付けられたホーク部３４から構成される。フォークベース３２は、ベース本体３２ａ、穴３２ｃを有するベース支持アーム３２ｂ、支点ピン３５が挿入される穴３２ｄから構成される。
【００２０】
４２はホーク角度設定手段であり、長さを変える長さ可変部であるリンク部４３と、リンク部４３一端に固定され軸受４４が取付けられた軸受取付板４５と、他端に固定された支点ボス４７から構成される。そして、ホーク角度設定手段４２の軸受４４が偏心カップリング１８の軸付フランジ１８ｂに連結され、支点ボス４７が支点ピン４９により、ホークベース３２の支持アーム３２ｂの穴３２ｃと連結される。２３は車輪、２６はスタンドである。
【００２１】
次に、動作を図１、２、６により説明する。図６（ａ）は鋤３１を最初畝に差し込む状態、図６（ｂ）はネギＮが栽培されている部分の土を柔らかくするのみでネギを土中に残したままとする状態を示している。
鋤３１の揺動数、ホーク４１の振動数は牽引車の原動機に連結された第１の変速手段である減速機９と第２の変速手段１２を介して回転される第１の回転軸１１の回転で定まるが、鋤３１の揺動数、ホーク３４の振動数の基本値は牽引車の原動機に連結された動力伝達軸１０の回転と減速機９により設定する。さらに、土壌に応じて第２の変速手段の第１、第２のスプロケット１５、１６の歯数比を変えることにより、第２の回転軸１３の回転数を変えて鋤３１の揺動数を設定する。
【００２２】
鋤３１の揺動幅は、第２の回転軸１３に固定された揺動手段である偏心カップリング２０の偏心フランジ２０ａとシャフト付偏心フランジ２０ｂの各々の回転中心間の距離を変えて偏心量を決めて設定する。ホーク３４の振幅も同様に偏心カップリング１８により設定する。
【００２３】
鋤３１の初期角度の設定は、アジャストスクリュー４０で鋤角度設定手段３６の長さを変えて設定する。このとき、図６（ａ）に示すように鋤３１が土にくい込むように設定する。ホーク４１の初期角度設定は、ホーク角度設定手段４２のリンク部４３により長さを変えて略水平になるように設定する。
【００２４】
以上の設定は実際にネギ堀機を試験的に動作させた結果により設定する。次に、取付フレーム２をトラクター等の牽引車に連結し、動力伝達軸１０を牽引車の原動機に連結してネギ堀機を前進させる。鋤３１は本体フレーム１の軸受２８に支持されたアームシャフト２７を中心として揺動し、ホーク４１はホークベース３２と鋤３１を連結する支点ピン３５を中心に振動しながら図（ａ）に示すようにネギＮの根部に向かって差し込まれれる。このとき、鋤３１は揺動するため土の抵抗が少ない。
【００２５】
さらに、前進すると、図６（ｂ）に示すように、鋤３１が根部の下方ヘと差し込まれ、鋤３１の揺動とホーク４１の振動により、ネギＮの根部、と周辺の土をほぐしてやわらかくする。このとき、ホーク４１は振動だけでなく揺動もしながら進む。また、鋤３１は前辺部３１ｂ、側辺部３１ｃ及び側辺部３１ｃに対向して設けられた連結用アーム部３１ａにより、ネギＮの根の両側の土を均等にやわらかくする。さらに、鋤３１の揺動とホーク４１の揺動と振動により、ネギＮに固着している土が除去される。そして、ネギＮは掘り取られずに、畝の土の中に立ったまま残り、簡単に抜き取れる状態となり、ネギＮは後で土から抜き取られる。
【００２６】
なお、本実施の形態は畝の土を柔らかくするのみでネギを土中に残したままとする動作について示したが、本実施の形態で示した構成により、鋤３１の揺動数、ホーク４１の振動数、鋤３１とホーク４１の傾斜角度、鋤３１の揺動幅、フォーク４１振幅を各々変えることにより、ネギＮを畝の土から堀取ることができる。
【００２７】
【発明の効果】
以上のように、この発明によれば、フレーム本体と、このフレーム本体に設けられ、原動機の動力を第１の変速手段を介して伝達する第１の回転軸と、この第１の回転軸に第２の変速手段を介して連結された第２の回転軸と、前記フレーム本体に回動可能に設けられた鋤と、前記第２の回転軸に連結され、前記鋤の揺動幅を可変可能に揺動させる揺動手段と、前記鋤の傾斜角度を設定する鋤角度設定手段と、前記鋤の後部に回動可能に連結されたホークと、前記第１の回転軸に連結され前記ホークの振動幅を可変可能に振動させる加振手段と、前記ホークの傾斜角度を設定するホーク角度設定手段とを備え、第１、第２の変速手段により前記鋤の揺動数、前記ホークの振動数を設定するとともに、前記鋤と前記ホークの傾斜角度、前記鋤の揺動幅、前記ホークの振幅を各々変えることにより、土を柔らかくするのみでネギを土中に残したままとするので、簡単な構成と簡単な調整により、ネギが土で汚れないようにし、容易に抜き取りをすることができる。
【００２８】
また、第２の変速手段は、減速機に連結された第１の回転軸に連結された第１のスプロケットと、第２の回転軸に連結された第２のスプロケットと、前記第１、第２のスプロケットを連結するチエーンとからなるので、鋤の揺動数を簡単な構成で容易に変えることができる。
【００２９】
また、揺動手段及び加振手段は各々偏心カップリングからなるもので、揺動幅及び振幅を簡単な構成で容易に変えることができる。
【００３０】
また、鋤角度設定手段は、鋤に設けられた鋤揺動アームと、この鋤揺動アームの先端部と揺動手段に各々回動可能に連結され、長さを変える長さ可変部とからなるので、簡単な構成で容易に角度を設定することができる。
【００３１】
また、ホーク角度設定手段は、ホークと加振手段に各々回動可能に連結され、長さを変える長さ可変部とからなるので、簡単な構成で容易に角度を設定することができる。
【００３２】
また、鋤は、板状で略矩形状の進行方向前方長辺部に形成され、前方端部に刃部を有する前辺部と、一方の短辺側に前記台形状部に対して鈍角に立ち上がり前方端部に刃部を有する側辺部と、他方の短辺側より前記側辺部に対向して延設され、前方端部に刃部を有するフレーム本体との連結用アーム部と、を備えたので、ネギＮの根の両側の土を均等にやわらかくしながら進み、ネギＮは掘り取られずに、畝の土の中に立ったまま残り、簡単に抜き取れる状態とし、ネギを汚れないようにすることができる。
【図面の簡単な説明】
【図１】  この発明の実施の形態を示すネギ堀機の斜視図である。
【図２】  この発明の実施の形態を示すネギ堀機の分解斜視図である。
【図３】  この発明の実施の形態を示すネギ堀機の鋤の側面図である。
【図４】  図３の正面図である。
【図５】  この発明の実施の形態を示すネギ堀機の偏心カップリングの分解斜視図である。
【図６】  この発明の実施の形態を示すネギ堀機の動作説明図である。
【図７】  従来のネギ抜取装置の側面図である。
【図８】  図７の平面図である。
【符号の説明】
１  フレーム本体
９  第１の変速手段
１１  第１の回転軸
１２  第２の変速手段
１３  第２の回転手段
１５  第１のスプロケット
１６  第２のスプロケット
１７  チエーン
１８、２０  偏心カップリング
２９  鋤揺動アーム
３１  鋤
３１ｂ  前辺部
３１ｃ  側辺部
３１ａ  連結用アーム部
３６  鋤角度設定手段
４０  アジャストスクリュー
４１  ホーク
４２  ホーク角度設定手段
４３  リンク部
【図１】
0004570258.tif 000002
【図２】
0004570258.tif 000003
【図３】
0004570258.tif 000004
【図４】
0004570258.tif 000005
【図５】
0004570258.tif 000006
【図６】
0004570258.tif 000007
【図７】
0004570258.tif 000008
【図８】
0004570258.tif 000009